(57)【要約】【課題】電話すると長くなるから今はやめようという機会損失の心理が働くことなく、気軽にコミュニケーションを取ることが可能になる通信装置を提供する。【解決手段】携帯端末10Bにおいて携帯端末10Aから通常通話の着信があると、[着信中:通常通話]ボタンRNと共に短時間通話で電話を受ける旨を表記した[短時間通話受け]ボタンRSbが表示される。[短時間通話受け]ボタンRSbを選択して応答すると、発信側端末10Aに短時間通話の要求受入れを表記した[短時間通話要求受入れ]ボタンRSaが表示され、着信側ユーザから例えば長話でなく気軽な挨拶程度の会話なら受けられるとの応答が来たことを認識できる。[短時間通話要求受入れ]ボタンRSaが押下され発信側で短時間通話が受諾されると、設定された短時間通話時間のカウントダウンが開始されると共に、相互の通話回線が開通されカウントダウン終了まで短時間に制限された通話が可能になる。【選択図】      図７
2014027451.tif 000002
【特許請求の範囲】
【請求項１】
通話機能を備えた通信装置であって、
他の通信装置を指定して発信する発信手段と、
この発信手段による発信に応答して前記他の通信装置で選択された短時間通話の要求を受信する受信手段と、
前記受信手段により短時間通話の要求が受信された場合は、予め設定された時間内で前記他の通信装置との通話を制御する短時間通話制御手段と、
を備えたことを特徴とする通信装置。
【請求項２】
通話機能を備えた通信装置であって、
他の通信装置の発信手段により発信された通話の要求を受信する受信手段と、
この受信手段により通話の要求が受信された場合に、ユーザ操作に応じて、通常通話を受ける応答または短時間通話の要求を選択して前記他の通信装置へ返信する通話選択返信手段と、
前記通話選択返信手段により短時間通話の要求を選択して前記他の通信装置へ返信した場合に、予め設定された時間内で前記他の通信装置との通話を制御する短時間通話制御手段と、
を備えたことを特徴とする通信装置。
【請求項３】
通話機能を備えた通信装置であって、
ユーザ操作に応じて他の通信装置を指定する通信先指定手段と、
前記通信先指定手段により指定された他の通信装置へ発信する発信手段と、
他の通信装置の発信手段により発信された通話の要求を受信する受信手段と、
この受信手段により通話の要求が受信された場合に、ユーザ操作に応じて、通常通話を受ける応答または短時間通話の要求を選択して前記他の通信装置へ返信する通話選択返信手段と、
前記受信手段により短時間通話の要求が受信された場合と、前記他の通信装置の通話選択返信手段により返信された短時間通話の要求が受信された場合に、予め設定された時間内で前記他の通信装置との通話を制御する短時間通話制御手段と、
を備えたことを特徴とする通信装置。
【請求項４】
前記短時間通話制御手段は、予め設定された時間までか、または同予め設定された時間内でユーザ操作に応じて通話終了が指示されるかまたは前記他の通信装置から切断の要求が受信されるまで同他の通信装置との通話を制御することを特徴とする請求項１ないし請求項３の何れか１項に記載の通信装置。
【請求項５】
短時間通話の時間を記憶する通話時間記憶手段を備え、
前記予め設定された時間は、この通話時間記憶手段により記憶された時間であることを特徴とする請求項１ないし請求項４の何れか１項に記載の通信装置。
【請求項６】
前記通話時間記憶手段により記憶される短時間通話の時間は、前記短時間通話の要求を発信する側の通信装置のユーザ操作に応じて任意に設定されることを特徴とする請求項５に記載の通信装置。
【請求項７】
前記短時間通話制御手段による前記他の通信装置との通話の制御中に、ユーザ操作に応じて前記通話時間記憶手段により記憶される短時間通話の時間を延長する時間延長手段を備えたことを特徴とする請求項５または請求項６に記載の通信装置。
【請求項８】
前記短時間通話の残り時間が所定の残り時間になった場合、報知する報知手段を更に備えたことを特徴とする請求項１ないし請求項７の何れか１項に記載の通信装置。
【請求項９】
通話機能を備えた通信装置のコンピュータを制御するためのプログラムであって、
前記コンピュータを、
他の通信装置を指定して発信する発信手段、
この発信手段による発信に応答して前記他の通信装置で選択された短時間通話の要求を受信する受信手段、
前記受信手段により短時間通話の要求が受信された場合は、予め設定された時間内で前記他の通信装置との通話を制御する短時間通話制御手段、
として機能させるためのプログラム。
【請求項１０】
通話機能を備えた通信装置のコンピュータを制御するためのプログラムであって、
他の通信装置の発信手段により発信された通話の要求を受信する受信手段、
この受信手段により通話の要求が受信された場合に、ユーザ操作に応じて、通常通話を受ける応答または短時間通話の要求を選択して前記他の通信装置へ返信する通話選択返信手段、
前記通話選択返信手段により短時間通話の要求を選択して前記他の通信装置へ返信した場合に、予め設定された時間内で前記他の通信装置との通話を制御する短時間通話制御手段、
として機能させるためのプログラム。
【請求項１１】
通話機能を備えた通信装置のコンピュータを制御するためのプログラムであって、
ユーザ操作に応じて他の通信装置を指定する通信先指定手段、
前記通信先指定手段により指定された他の通信装置へ発信する発信手段、
他の通信装置の発信手段により発信された通話の要求を受信する受信手段、
この受信手段により通話の要求が受信された場合に、ユーザ操作に応じて、通常通話を受ける応答または短時間通話の要求を選択して前記他の通信装置へ返信する通話選択返信手段、
前記受信手段により短時間通話の要求が受信された場合と、前記他の通信装置の通話選択返信手段により返信された短時間通話の要求が受信された場合に、予め設定された時間内で前記他の通信装置との通話を制御する短時間通話制御手段、
として機能させるためのプログラム。
【発明の詳細な説明】
【技術分野】
【０００１】
本発明は、通話機能を備えた通信装置およびその制御プログラムに関する。
【背景技術】
【０００２】
固定電話、携帯電話、テレビ電話等、人と人のコミュニケーションの為の様々な通信装置が普及している。これらの通信装置が普及したことで、離れている人同士でもコミュニケーションが取りやすくなった。例えば、離れて暮らす家族間では、遠隔地の家族と近況状況を報告し合ったり、悩み事を相談したりできる。
【０００３】
従来の通信装置において、複数の相手先番号とその相手先名称とを対応付けて登録した電話帳情報を表示させ、任意の１つの相手先名称を指定することで、発呼先を容易に選択可能な発呼先選択装置が考えられている（例えば、特許文献１参照。）。
【先行技術文献】
【特許文献】
【０００４】
【特許文献１】特開２００１−１１１６７４号公報
【発明の概要】
【発明が解決しようとする課題】
【０００５】
ここで、家族間のコミュニケーションについて考えてみる。
【０００６】
前述したような通信装置が普及した環境であっても、離れて暮らしている場合と、同居している場合とでは、コミュニケーションに大きな違いがある。
【０００７】
例えば、同居している場合には普通に行われる朝晩や外出・帰宅時の会話（「おはよう」「おやすみ」「いってきます」「いってらっしゃい」「ただいま！」「おかえり！」）のような短い会話は、離れた家族間ではほとんど行われない。また、離れて暮らす家族間（二世帯間）での音声電話やテレビ電話は、積もる話もあって、比較的長時間通話になる傾向がある。それ故、逆にコミュニケーションの機会を減らすことがある。これはつまり、ユーザに「電話すると長くなるから、今はやめて、また時間のあるときに電話しよう…」という心理が働いてコミュニケーションの機会が失われるものである。
【０００８】
本発明は、このような課題に鑑みてなされたもので、気軽にコミュニケーションを取ることが可能になる通信装置およびその制御プログラムを提供することを目的とする。
【課題を解決するための手段】
【０００９】
本発明に係る通信装置は、通話機能を備えた通信装置であって、他の通信装置を指定して発信する発信手段と、この発信手段による発信に応答して前記他の通信装置で選択された短時間通話の要求を受信する受信手段と、前記受信手段により短時間通話の要求が受信された場合は、予め設定された時間内で前記他の通信装置との通話を制御する短時間通話制御手段と、を備えたことを特徴としている。
【発明の効果】
【００１０】
本発明によれば、気軽にコミュニケーションを取ることが可能になる通信装置およびその制御プログラムを提供できる。
【図面の簡単な説明】
【００１１】
【図１】本発明の通信装置の実施形態に係るタッチパネル式携帯端末（携帯電話）１０Ａ／１０Ｂの電子回路の構成を示すブロック図。
【図２】前記携帯端末（携帯電話）１０Ａを発信側とし他の携帯端末（携帯電話）１０Ｂを着信側とした場合の通常通話モード処理を示すシーケンス図。
【図３】前記通常通話モード処理に伴う発信側携帯端末１０Ａと着信側携帯端末１０Ｂの表示動作を示す図。
【図４】前記携帯端末（携帯電話）１０Ａを発信側とし他の携帯端末（携帯電話）１０Ｂを着信側とした場合の第１実施形態の短時間通話モード処理（発信側要求）を示すシーケンス図。
【図５】前記第１実施形態の短時間通話モード処理（発信側要求）に伴う発信側携帯端末１０Ａと着信側携帯端末１０Ｂの表示動作を示す図。
【図６】前記携帯端末（携帯電話）１０Ａを発信側とし他の携帯端末（携帯電話）１０Ｂを着信側とした場合の第２実施形態の短時間通話モード処理（着信側要求）を示すシーケンス図。
【図７】前記第２実施形態の短時間通話モード処理（着信側要求）に伴う発信側携帯端末１０Ａと着信側携帯端末１０Ｂの表示動作を示す図。
【図８】前記携帯端末（携帯電話）１０Ａ／１０Ｂの短時間通話モード処理に付加される時間延長処理を示すシーケンス図。
【図９】前記短時間通話モード処理に付加される時間延長処理に伴う発信側携帯端末１０Ａと着信側携帯端末１０Ｂの表示動作を示す図。
【発明を実施するための形態】
【００１２】
以下図面により本発明の実施の形態について説明する。
【００１３】
図１は、本発明の通信装置の実施形態に係るタッチパネル式携帯端末（携帯電話）１０Ａ／１０Ｂの電子回路の構成を示すブロック図である。
【００１４】
なお、この通信装置の実施形態は、タッチパネル式携帯端末（携帯電話）１０Ａ／１０Ｂに限らず、固定電話、他の携帯電話、テレビ電話等、通話機能を備えた電子機器であれば何れも実施可能である。
【００１５】
前記タッチパネル式携帯端末（携帯電話）１０Ａ／１０Ｂの電子回路は、コンピュータである制御部（ＣＰＵ）１１を備えている。
【００１６】
制御部（ＣＰＵ）１１は、記憶装置１２に予め記憶されているシステムプログラムや端末制御プログラム１２ａ，１２ｂ，１２ｃ、あるいはメモリカードなどの外部記憶媒体１３から記憶媒体読み込み部１４を介して記憶装置１２に読み込まれた端末制御プログラム１２ａ，１２ｂ，１２ｃ、あるいは通信ネットワークＮ上のＷｅｂサーバ（プログラムサーバ）２０から通信制御部１５を介してダウンロードされ前記記憶装置１２に読み込まれた端末制御プログラム１２ａ，１２ｂ，１２ｃに従い、ＲＡＭ１６を作業用メモリとして回路各部の動作を制御する。そして、前記記憶装置１２に記憶されたシステムプログラムや端末制御プログラム１２ａ，１２ｂ，１２ｃは、キー入力部１７からのキー入力信号、タッチパネル付き表示部１８からのタッチ入力信号、音声入出力部１９からの音声入力信号、通信ネットワークＮから通信制御部１５に受信される他の携帯端末（携帯電話）１０ＢやＷｅｂサーバ２０からの通信信号に応じて起動される。ここで、キー入力部１７は、電源キー、音量キー、数字キー等を備える。音声入出力部１９は、通話に伴い入力されたアナログ音声をデジタル信号に変換しＣＰＵ１１に出力したり、相手の携帯端末（携帯電話）１０Ｂから通信制御部１５を介してＣＰＵ１１に受信されたデジタル信号をアナログ音声に変換して出力したりする。
【００１７】
前記記憶装置１２に記憶される端末制御プログラム１２ａ，１２ｂ，１２ｃには、メールやＷｅｂブラウザ等を制御する各種アプリケーションの端末制御プログラム１２ａの他に、電話機能により通常の通話（通常通話モード）を実行するための通常通話処理プログラム１２ｂ、短時間の通話（短時間通話モード）を実行するための短時間通話処理プログラム１２ｃが含まれる。
【００１８】
ＲＡＭ１６には、表示データメモリ１６ａ、通話モードデータメモリ１６ｂ、通話時間設定データメモリ１６ｃ、通話時間カウントデータメモリ１６ｄの他、各種の処理に伴い制御部１１に入出力される種々のデータが必要に応じて記憶される作業用データメモリが確保される。
【００１９】
なお、延長時間設定データメモリ１６ｅについては、後述の第２実施形態において説明する。
【００２０】
表示データメモリ１６ａには、タッチパネル付き表示部１８に表示させるための表示画面サイズで生成されたビットマップパターンのデータが記憶される。
【００２１】
通話モードデータメモリ１６ｂには、ユーザ操作に応じて選択された通常通話モードのデータか、又は短時間通話モードのデータが記憶される。
【００２２】
通話時間設定データメモリ１６ｃには、前記短時間通話モードにおいて通話可能な時間を定める時間データが固定値あるいはユーザ任意の時間に設定されて記憶される。
【００２３】
通話時間カウントデータメモリ１６ｄには、前記短時間通話モードにおいて通話処理が開始されるのに伴い前記通話時間設定データメモリ１６ｃに記憶された時間データがセットされ、このセットされた時間データはカウントダウンされる。
【００２４】
このように構成されたタッチパネル式携帯端末（携帯電話）１０Ａ／１０Ｂは、ＣＰＵ１１が前記端末制御プログラム１２ａ，１２ｂ，１２ｃに記述された命令に従い回路各部の動作を制御し、ソフトウエアとハードウエアとが協働して動作することにより、以下の動作説明で述べる通常通話機能および短時間通話機能を実現する。
【００２５】
次に、前記構成のタッチパネル式携帯端末（携帯電話）１０Ａ／１０Ｂの動作について説明する。
【００２６】
（通常通話モード処理）
図２は、前記携帯端末（携帯電話）１０Ａを発信側とし他の携帯端末（携帯電話）１０Ｂを着信側とした場合の通常通話モード処理を示すシーケンス図である。
【００２７】
図３は、前記通常通話モード処理に伴う発信側携帯端末１０Ａと着信側携帯端末１０Ｂの表示動作を示す図である。
【００２８】
携帯端末１０Ａにおいて、端末制御プログラム１２ａに従い電話機能のアプリケーションが起動されると、図３（Ａ）に示すように、タッチパネル付き表示部１８には［通常通話］ボタンＮｃと［短時間通話］ボタンＳｃが表示される。
【００２９】
ユーザＡ（Ｕａ）により前記タッチパネル付き表示部１８に表示された［通常通話］ボタンＮｃが押下され、キー入力部１７の数字キーにより入力されるか、表示部１８に選択的に表示させたユーザＢ（Ｕｂ）（携帯端末１０Ｂ）の電話番号（図示せず）が押下されると（ステップＡ１）、通常通話処理プログラム１２ｂに従い、携帯端末１０Ａから携帯端末１０Ｂへ通常通話要求が発信される（ステップＡ２）。
【００３０】
携帯端末１０Ｂにおいて、前記通常通話要求が受信されると、通常通話処理プログラム１２ｂに従い、図３（Ｂ）に示すように、通常通話の着信中である旨を表記した［着信中：通常通話］ボタンＲＮが表示される（ステップＢ１）。なお、図３（Ｂ）の着信側携帯端末１０Ｂでは発信者番号を表示させていないが、表示させてもよい。
【００３１】
さて、着信側携帯端末１０Ｂにおいて、図３（Ｃ）に示すように、ユーザＢ（Ｕｂ）により［着信中：通常通話］ボタンＲＮが押下されると（ステップＢ２）、前記発信側携帯端末１０Ａに対して、通常通話要求応答が返信される（ステップＢ３）。
【００３２】
これにより、携帯端末１０Ａと携帯端末１０Ｂとの通話回線が開通して相互通話処理に移行され（ステップＡ３／Ｂ４）、ユーザＡ（Ｕａ）とユーザＢ（Ｕｂ）とが通話可能になる。
【００３３】
そして、前記携帯端末１０Ａと携帯端末１０Ｂとの通話中は、両端末１０Ａ／１０Ｂにおいて、図３（Ｄ）に示すように、通話終了の為の［通話終了］ボタンＥｃが表示される。
【００３４】
この後、携帯端末１０Ａもしくは携帯端末１０Ｂにおいて通話を終了する場合に、前記［通話終了］ボタンＥｃが押下されると、通話回線が切断される。
【００３５】
すなわち、例えば携帯端末１０Ａにおいて［通話終了］ボタンＥｃが押下されると（ステップＡ４）、携帯端末１０Ｂに対して切断要求が発信される（ステップＡ５）。携帯端末１０Ｂにおいて、前記切断要求が受信されると、携帯端末１０Ａに対して切断要求応答が返信されると共に（ステップＢ５）、回線切断処理が実行される（ステップＢ６）。携帯端末１０Ａにおいて、前記切断要求応答が受信されると、回線切断処理が実行される（ステップＡ６）。これにより携帯端末１０Ａ／１０Ｂ相互の通話回線が切断される。
【００３６】
なお、前記図２、図３を参照した通常通話モードの動作説明では、ユーザＡ（Ｕａ）の携帯端末１０Ａから発信する場合について示したが、ユーザＢ（Ｕｂ）の携帯端末１０Ｂから発信する場合でも同様である。また、切断処理についても、ユーザＡ（Ｕａ）の携帯端末１０Ａから切断する場合について示したが、ユーザＢ（Ｕｂ）の携帯端末１０Ｂから切断する場合でも同様である。
【００３７】
（短時間通話モード処理：第１実施形態）
図４は、前記携帯端末（携帯電話）１０Ａを発信側とし他の携帯端末（携帯電話）１０Ｂを着信側とした場合の第１実施形態の短時間通話モード処理（発信側要求）を示すシーケンス図である。
【００３８】
図５は、前記第１実施形態の短時間通話モード処理（発信側要求）に伴う発信側携帯端末１０Ａと着信側携帯端末１０Ｂの表示動作を示す図である。
【００３９】
ユーザＡ（Ｕａ）の携帯端末１０Ａにおいて、ユーザＢ（Ｕｂ）と例えば長話にならず気軽に挨拶程度に会話したいときに、図５（Ａ）に示すように、タッチパネル付き表示部１８に表示された［短時間通話］ボタンＳｃが押下され、キー入力部１７の数字キーによる入力されるか、表示部１８に選択的に表示させたユーザＢ（Ｕｂ）（携帯端末１０Ｂ）の電話番号（図示せず）が押下されると（ステップＡ１）、短時間通話処理プログラム１２ｃに従い、携帯端末１０Ａから携帯端末１０Ｂへ短時間通話要求が発信される（ステップＡ２）。なお、この短時間通話要求には、通話時間設定データメモリ１６ｃに設定された短時間通話の時間データ（ここでは６０秒）が含められて携帯端末１０Ｂへ発信される。
【００４０】
この短時間通話の時間データは、システム設計の際に予め決めた固定値として設定してもよいし、ユーザが予めあるいは短時間通話の発信操作をする際に、任意に入力した値として設定してもよい。
【００４１】
さて、携帯端末１０Ｂおいて、前記短時間通話要求が受信されると、短時間通話処理プログラム１２ｃに従い、受信された短時間通話要求に含まれる短時間通話の時間データ（ここでは６０秒）が通話時間カウントデータメモリ１６ｄにセットされると共に、図５（Ｂ）に示すように、短時間通話の着信中である旨を表記した［着信中：短時間通話］ボタンＲＳが表示される（ステップＢ１）。なお、図５（Ｂ）の着信側携帯端末１０Ｂでは発信者番号を表示させていないが、表示させてもよい。
【００４２】
ここで、携帯端末１０ＢのユーザＢ（Ｕｂ）は、ユーザＡ（Ｕａ）から例えば長話でなく気軽な挨拶程度の会話を求める着信が来たことを認識できる。
【００４３】
そして、ユーザＢ（Ｕｂ）が前記ユーザＡ（Ｕａ）からの短時間通話を受ける場合に、図５（Ｃ）に示すように、携帯端末１０Ｂに表示された［着信中：短時間通話］ボタンＲＳが押下されると（ステップＢ２）、携帯端末１０Ａに対して、短時間通話要求応答が返信されると共に（ステップＢ３）、前記通話時間カウントデータメモリ１６ｄにセットされた短時間通話の時間データ（６０秒）のカウントダウンを伴う通話処理が開始される（ステップＢ４）。
【００４４】
携帯端末１０Ａにおいて、前記携帯端末１０Ｂからの短時間通話要求応答が受信されると、通話時間設定データメモリ１６ｃに記憶されている短時間通話の時間データ（６０秒）が通話時間カウントデータメモリ１６ｄにセットされ、同時間データ（６０秒）のカウントダウンを伴う通話処理が開始される（ステップＡ３）。
【００４５】
これにより、携帯端末１０Ａと携帯端末１０Ｂとの通話回線が開通し、短時間通話の時間データ（６０秒）に制限された相互通話処理に移行され（ステップＡ３／Ｂ４）、ユーザＡ（Ｕａ）とユーザＢ（Ｕｂ）とが通話可能になる。
【００４６】
そして、前記携帯端末１０Ａと携帯端末１０Ｂとのカウントダウンを伴う通話中は、両端末１０Ａ／１０Ｂにおいて、図５（Ｄ）に示すように、通話時間カウントデータメモリ１６ｄにてカウントダウンされる残り時間Ｔが表示されると共に、通話終了の為の［通話終了］ボタンＥｃが表示される。
【００４７】
この後、互いの携帯端末１０Ａ／１０Ｂにおいて、図５（Ｅ）に示すように、前記短時間通話の時間データ（６０秒）のカウントダウンが終了し残り時間Ｔ（＝０）になると、相手側端末１０Ｂ／１０Ａに対して相互に切断要求応答が発信され（ステップＡ４／Ｂ５）、回線切断処理が実行される（ステップＡ５／Ｂ６））。これにより携帯端末１０Ａ／１０Ｂ相互の通話回線が切断され、図５（Ｆ）に示すように、表示部１８に通話終了メッセージＥｍが表示される。
【００４８】
なお、各携帯端末１０Ａ／１０Ｂにおいて、前記図５（Ｄ）（Ｅ）で示したように、短時間通話の時間データのカウントダウン処理中であっても（ステップＡ３／Ｂ４）、［通話終了］ボタンＥｃが押下された場合には、前記通常通話モード処理での動作と同様に回線切断処理が実行され（図２のステップＡ６／Ｂ６参照）、相互の通話回線が切断される。
【００４９】
また、前記図４、図５を参照した短時間通話モード（第１実施形態）の動作説明では、ユーザＡ（Ｕａ）の携帯端末１０Ａから発信する場合について示したが、ユーザＢ（Ｕｂ）の携帯端末１０Ｂから発信する場合でも同様である。
【００５０】
したがって、前記構成のタッチパネル式携帯端末（携帯電話）１０Ａ／１０Ｂの第１実施形態の短時間通話機能（発信側要求）によれば、相手に電話を掛ける際に、短時間通話モードを選択して発信すると、相手の携帯端末（携帯電話）１０Ｂの表示部１８に短時間通話の着信中である旨を表記した［着信中：短時間通話］ボタンＲＳが表示され、相手端末１０Ｂのユーザは、例えば長話でなく気軽な挨拶程度の会話を求める着信が来たことを認識できる。そして、前記［着信中：短時間通話］ボタンＲＳが押下され、相手側で短時間通話が受諾されると、設定された短時間通話の時間データのカウントダウンが開始されると共に、相互の通話回線が開通され、カウントダウン終了まで短時間に制限された通話が可能になる。
【００５１】
このため、発信側も着信側も、予め制限された時間内での通話であることを承知したうえで通話を開始できるので、例えば通話が長くなることを嫌って通話の機会が失われてしまう事態を回避でき、コミュニケーションを促進できる。具体的には、同居している場合は普通に行われる朝晩や外出時の会話（「おはよう」「おやすみ」「いってきます」「いってらっしゃい」）のような短い会話も、遠隔地の家族間で気軽に交わすことができるようになる。
【００５２】
（短時間通話モード処理：第２実施形態）
図６は、前記携帯端末（携帯電話）１０Ａを発信側とし他の携帯端末（携帯電話）１０Ｂを着信側とした場合の第２実施形態の短時間通話モード処理（着信側要求）を示すシーケンス図である。
【００５３】
図７は、前記第２実施形態の短時間通話モード処理（着信側要求）に伴う発信側携帯端末１０Ａと着信側携帯端末１０Ｂの表示動作を示す図である。
【００５４】
ユーザＡ（Ｕａ）の携帯端末１０Ａにおいて、図７（Ａ）に示すように、タッチパネル付き表示部１８に表示された［通常通話］ボタンＮｃが押下され、キー入力部１７の数字キーにより入力されるか、表示部１８に選択的に表示させたユーザＢ（Ｕｂ）（携帯端末１０Ｂ）の電話番号（図示せず）が押下されると（ステップＡ１）、通常通話処理プログラム１２ｂに従い、携帯端末１０Ａから携帯端末１０Ｂへ通常通話要求が発信される（ステップＡ２）。
【００５５】
携帯端末１０Ｂにおいて、前記通常通話要求が受信されると、図７（Ｂ）に示すように、通常通話処理プログラム１２ｂに従い、通常通話の着信中である旨を表記した［着信中：通常通話］ボタンＲＮが表示されると共に、短時間通話処理プログラム１２ｃに従い、短時間通話で電話を受ける旨を表記した［短時間通話受け］ボタンＲＳｂが表示される（ステップＢ１）。なお、図７（Ｂ）の着信側携帯端末１０Ｂでは発信者番号を表示させていないが、表示させてもよい。
【００５６】
さて、着信側携帯端末１０Ｂにおいて、ユーザＢ（Ｕｂ）が例えば通常通話を受ける時間は無くても短時間通話なら電話を受けることが可能な場合に、図７（Ｃ）に示すように、当該ユーザＢ（Ｕｂ）により［短時間通話受け］ボタンＲＳｂが押下されると（ステップＢ２）、短時間通話処理プログラム１２ｃに従い、前記発信側携帯端末１０Ａに対して短時間通話要求が発信される（ステップＢ３）。なお、この短時間通話要求には、通話時間設定データメモリ１６ｃに設定された短時間通話の時間データ（ここでは６０秒）が含められて携帯端末１０Ａへ発信される。
【００５７】
携帯端末１０Ａにおいて、前記携帯端末１０Ｂからの短時間通話要求が受信されると、短時間通話処理プログラム１２ｃに従い、受信された短時間通話要求に含まれる短時間通話の時間データ（ここでは６０秒）が通話時間カウントデータメモリ１６ｄにセットされると共に、図７（Ｄ）に示すように、同端末１０Ｂからの短時間通話の要求受入れを表記した［短時間通話要求受入れ］ボタンＲＳａと要求拒否を表記した［通話終了］ボタンＥｓが表示される（ステップＡ３）。
【００５８】
ここで、発信側携帯端末１０ＡのユーザＡ（Ｕａ）は、ユーザＢ（Ｕｂ）から例えば長話でなく気軽な挨拶程度の会話を求める要求が来たことを認識できる。
【００５９】
そして、ユーザＡ（Ｕａ）がユーザＢ（Ｕｂ）の短時間通話の要求を受け入れる場合に、図７（Ｅ）に示すように、前記［短時間通話要求受入れ］ボタンＲＳａが押下されると（ステップＡ４）、携帯端末１０Ｂに対して、短時間通話要求応答が返信されると共に（ステップＡ５）、前記通話時間カウントデータメモリ１６ｄにセットされた短時間通話の時間データ（６０秒）のカウントダウンを伴う通話処理が開始される（ステップＡ６）。
【００６０】
携帯端末１０Ｂにおいて、前記携帯端末１０Ａからの短時間通話要求応答が受信されると、通話時間設定データメモリ１６ｃに記憶されている短時間通話の時間データ（６０秒）が通話時間カウントデータメモリ１６ｄにセットされ、同時間データ（６０秒）のカウントダウンを伴う通話処理が開始される（ステップＢ４）。
【００６１】
これにより、携帯端末１０Ａと携帯端末１０Ｂとの通話回線が開通し、短時間通話の時間データ（６０秒）に制限された相互通話処理に移行され（ステップＡ６／Ｂ４）、ユーザＡ（Ｕａ）とユーザＢ（Ｕｂ）とが通話可能になる。
【００６２】
そして、前記携帯端末１０Ａと携帯端末１０Ｂとのカウントダウンを伴う通話中は、両端末１０Ａ／１０Ｂにおいて、図７（Ｆ）に示すように、通話時間カウントデータメモリ１６ｄにてカウントダウンされる残り時間Ｔが表示されると共に、通話終了の為の［通話終了］ボタンＥｃが表示される。
【００６３】
この後、互いの携帯端末１０Ａ／１０Ｂにおいて、図７（Ｇ）に示すように、前記短時間通話の時間データ（６０秒）のカウントダウンが終了し残り時間Ｔ（＝０）になると、相手側端末１０Ｂ／１０Ａに対して相互に切断要求応答が発信され（ステップＡ７／Ｂ５）、回線切断処理が実行される（ステップＡ８／Ｂ６））。これにより携帯端末１０Ａ／１０Ｂ相互の通話回線が切断され、図７（Ｈ）に示すように、表示部１８に通話終了メッセージＥｍが表示される。
【００６４】
なお、前記携帯端末１０Ｂにおいて、携帯端末１０Ａからの通常通話要求が受信された際に、［着信中：通常通話］ボタンＲＮが押下された場合は、これ以降、前記図２、図３を参照して説明した通常通話モード処理での動作と同様になる。
【００６５】
また、各携帯端末１０Ａ／１０Ｂにおいて、前記図７（Ｆ）（Ｇ）で示したように、短時間通話の時間データのカウントダウン処理中であっても（ステップＡ６／Ｂ４）、［通話終了］ボタンＥｃが押下された場合には、前記通常通話モード処理での動作と同様に回線切断処理が実行され（図２のステップＡ６／Ｂ６参照）、相互の通話回線が切断される。
【００６６】
また、発信側携帯端末１０Ａにおいて、着信側携帯端末１０Ｂからの短時間通話要求が受信された際に、要求拒否を表記した［通話終了］ボタンＥｓが押下されると、通話回線は開通されず処理終了となる。
【００６７】
さらに、前記図６、図７を参照した短時間通話モード（第２実施形態）の動作説明では、ユーザＡ（Ｕａ）の携帯端末１０Ａから発信する場合について示したが、ユーザＢ（Ｕｂ）の携帯端末１０Ｂから発信する場合でも同様であるのは勿論である。
【００６８】
したがって、前記構成のタッチパネル式携帯端末（携帯電話）１０Ａ／１０Ｂの第２実施形態の短時間通話機能（着信側要求）によれば、携帯端末１０Ｂにおいて携帯端末１０Ａから通常通話の着信があると、［着信中：通常通話］ボタンＲＮと共に、短時間通話で電話を受ける旨を表記した［短時間通話受け］ボタンＲＳｂが表示される。ここで［短時間通話受け］ボタンＲＳｂを選択して応答すると、発信側端末１０Ａの表示部１８に短時間通話の要求受入れを表記した［短時間通話要求受入れ］ボタンＲＳａが表示され、着信側端末１０Ｂのユーザから例えば長話でなく気軽な挨拶程度の会話なら受けられるとの応答が来たことを認識できる。そして、前記［短時間通話要求受入れ］ボタンＲＳａが押下され、発信側で短時間通話が受諾されると、設定された短時間通話の時間データのカウントダウンが開始されると共に、相互の通話回線が開通され、カウントダウン終了まで短時間に制限された通話が可能になる。
【００６９】
このため、着信側で短時間通話での通話要求を選択できると共に、この短時間通話での通話要求が発信側で受諾されれば、当該発信側も着信側も、予め制限された時間内での通話であることを承知したうえで通話を開始できるので、例えば通話が長くなることを嫌って通話の機会が失われてしまう事態を回避でき、コミュニケーションを促進できる。
【００７０】
なお、この第２実施形態の短時間通話機能（着信側要求）は、例えば２者間の通常通話中に第３者から割込みの着信が入った場合に適用することで、元の通話相手を長時間待たせてしまう事態を容易かつ未然に防止できて有効である。
【００７１】
（短時間通話モード処理：第３実施形態）
この第３実施形態の短時間通話モード処理では、前記第１実施形態又は第２実施形態の短時間通話モード処理を対象に、通話時間カウントデータメモリ１６ｄにてカウントダウンされる短時間通話の時間データを、通話処理中の各携帯端末１０Ａ／１０Ｂにてユーザ任意に延長できる機能を付加する。
【００７２】
このため、図１で示したように、各携帯端末１０Ａ／１０ＢのＲＡＭ１６には、延長時間設定データメモリ１６ｅを確保し、短時間通話モードでの通話延長時間を、予め固定値として設定するか、ユーザ任意の値として設定する。
【００７３】
図８は、前記携帯端末（携帯電話）１０Ａ／１０Ｂの短時間通話モード処理に付加される時間延長処理を示すシーケンス図である。
【００７４】
図９は、前記短時間通話モード処理に付加される時間延長処理に伴う発信側携帯端末１０Ａと着信側携帯端末１０Ｂの表示動作を示す図である。
【００７５】
前記第１実施形態又は第２実施形態の短時間通話モード処理において、各携帯端末１０Ａ／１０Ｂの通話時間カウントデータメモリ１６ｄにセットされた短時間通話の時間データのカウントダウンが開始され、相互の通話処理が開始されると（ステップＡ３／Ｂ４）、図９（Ａ）に示すように、カウントダウンされる残り時間Ｔおよび通話終了の為の［通話終了］ボタンＥｃが表示されると共に、通話時間延長の為の［通話延長］ボタンＴｅが表示される。
【００７６】
この各携帯端末１０Ａ／１０Ｂ間での短時間通話中にあって、図９（Ｂ）に示すように、例えば携帯端末１０Ｂに表示されている［通話延長］ボタンＴｅが押下されると（ステップＢ４１）、延長時間設定データメモリ１６ｅに記憶されている通話延長の時間データ（ここでは６０秒）を含めた通話時間延長通知が、相手の携帯端末１０Ａへ発信されると共に（ステップＢ４２）、前記通話延長の時間データ（６０秒）が、通話時間カウントデータメモリ１６ｄにてカウントダウン中の現在の時間データ（ここでは４８秒）に加算され、図９（Ｃ）に示すように、残り時間Ｔ（＝１０８秒）として表示される（ステップＢ４３）。
【００７７】
携帯端末１０Ａにおいて、前記携帯端末１０Ｂからの通話時間延長通知（６０秒）が受信されると、受信された通話延長の時間データ（６０秒）が、前記同様に、通話時間カウントデータメモリ１６ｄにてカウントダウン中の現在の時間データ（ここでは４８秒）に加算され、図９（Ｃ）に示すように、残り時間Ｔ（＝１０８秒）として表示される（ステップＡ３１）。
【００７８】
この後、互いの携帯端末１０Ａ／１０Ｂにおいて、図９（Ｄ）に示すように、前記延長された短時間通話の時間データ（１２０秒）のカウントダウンが終了し残り時間Ｔ（＝０）になると、相手側端末１０Ｂ／１０Ａに対して相互に切断要求応答が発信され（ステップＡ４／Ｂ５）、回線切断処理が実行される（ステップＡ５／Ｂ６））。これにより携帯端末１０Ａ／１０Ｂ相互の通話回線が切断され、図９（Ｅ）に示すように、表示部１８に通話終了メッセージＥｍが表示される。
【００７９】
なお、各携帯端末１０Ａ／１０Ｂにおいて、短時間通話中、つまり、通話時間カウントデータメモリ１６ｄにおける時間データのカウントダウン中であれば、前記［通話延長］ボタンＴｅが押下される度に、同カウントダウン中の時間データに対して、延長時間設定データメモリ１６ｅに設定されている通話延長時間（６０秒）が新たに加算される。
【００８０】
したがって、前記構成のタッチパネル式携帯端末（携帯電話）１０Ａ／１０Ｂの第３実施形態の短時間通話機能（時間延長）によれば、短時間通話モードでの設定された時間データのカウントダウンに伴う短時間通話の処理中に、［通話延長］ボタンＴｅが押下されると、同［通話延長］ボタンＴｅが押下される度に、前記カウントダウンされる残り時間Ｔに、設定された通話延長時間が加算される。
【００８１】
このため、発信側端末１０ＡのユーザＡ（Ｕａ）または着信側端末１０ＢのユーザＢ（Ｕｂ）の希望により、短時間通話モードを選択した通話処理を開始した場合でも、残り時間Ｔが不足しそうなときには容易に時間延長することができ、例えば通話が長くなることを嫌って通話の機会が失われてしまう事態を回避できるだけでなく、会話途中での切断も回避でき、より確実にコミュニケーションの促進が図れるようになる。
【００８２】
なお、前記各実施形態では、通信ネットワークＮに接続された２台の通信装置（携帯端末１０Ａ／１０Ｂ）間で短時間通話処理を実行する場合として説明したが、これに限定されるわけではなく、グループ通話等、３台以上の通信装置間で実行する場合でも同様に適用可能である。
【００８３】
なお、前記各実施形態では、残り時間Ｔ（＝０）となった場合、通話を終了としたが、残り時間が少なくなった場合、例えば１０秒の時など所定の残り時間になった場合に報知してもよい。このようにすることで、ユーザはもうそろそろ通話が終了することを意識できる。
【００８４】
また、前記各実施形態において説明した短時間通話機能は、発信側または着信側で通話時間を選択するものであって、３Ｇ回線とＷｉＭＡＸ回線等の通信回線を選択する技術やＳＮＳとＥ−ｍａｉｌ等の通信方式を選択する技術とは勿論異なる。
【００８５】
なお、前記実施形態において記載した通信装置（１０Ａ／１０Ｂ）による各処理の手法、すなわち、図４のシーケンス図に示す第１実施形態の短時間通話モード処理（発信側要求）、図６のシーケンス図に示す第２実施形態の短時間通話モード処理（着信側要求）、図８のシーケンス図に示す短時間通話モード処理（時間延長）などの各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体（１３）に格納して配布することができる。そして、音声通信機能を有する電子機器（１０Ａ／１０Ｂ）のコンピュータ（ＣＰＵ１１）は、この外部記憶媒体（１３）に記憶されたプログラムを記憶装置（１２）に読み込み、この読み込んだプログラムによって動作が制御されることにより、前記各実施形態において説明した短時間通話機能を実現し、前述した手法による同様の処理を実行することができる。
【００８６】
また、前記各手法を実現するためのプログラムのデータは、プログラムコードの形態として通信ネットワークＮ上を伝送させることができ、この通信ネットワークＮに接続されたコンピュータ装置（プログラムサーバ２０）から前記のプログラムデータを音声通信機能を有する電子機器（１０Ａ／１０Ｂ）に取り込んで記憶装置（１２）に記憶させ、前述した短時間通話機能を実現することもできる。
【００８７】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００８８】
以下に、本願出願の当初の特許請求の範囲に記載された発明を付記する。
【００８９】
［１］
通話機能を備えた通信装置であって、
他の通信装置を指定して発信する発信手段と、
この発信手段による発信に応答して前記他の通信装置で選択された短時間通話の要求を受信する受信手段と、
前記受信手段により短時間通話の要求が受信された場合は、予め設定された時間内で前記他の通信装置との通話を制御する短時間通話制御手段と、
を備えたことを特徴とする通信装置。
【００９０】
［２］
通話機能を備えた通信装置であって、
他の通信装置の発信手段により発信された通話の要求を受信する受信手段と、
この受信手段により通話の要求が受信された場合に、ユーザ操作に応じて、通常通話を受ける応答または短時間通話の要求を選択して前記他の通信装置へ返信する通話選択返信手段と、
前記通話選択返信手段により短時間通話の要求を選択して前記他の通信装置へ返信した場合に、予め設定された時間内で前記他の通信装置との通話を制御する短時間通話制御手段と、
を備えたことを特徴とする通信装置。
【００９１】
［３］
通話機能を備えた通信装置であって、
ユーザ操作に応じて他の通信装置を指定する通信先指定手段と、
前記通信先指定手段により指定された他の通信装置へ発信する発信手段と、
他の通信装置の発信手段により発信された通話の要求を受信する受信手段と、
この受信手段により通話の要求が受信された場合に、ユーザ操作に応じて、通常通話を受ける応答または短時間通話の要求を選択して前記他の通信装置へ返信する通話選択返信手段と、
前記受信手段により短時間通話の要求が受信された場合と、前記他の通信装置の通話選択返信手段により返信された短時間通話の要求が受信された場合に、予め設定された時間内で前記他の通信装置との通話を制御する短時間通話制御手段と、
を備えたことを特徴とする通信装置。
【００９２】
［４］
前記短時間通話制御手段は、予め設定された時間までか、または同予め設定された時間内でユーザ操作に応じて通話終了が指示されるかまたは前記他の通信装置から切断の要求が受信されるまで同他の通信装置との通話を制御することを特徴とする［１］ないし［３］の何れかに記載の通信装置。
【００９３】
［５］
短時間通話の時間を記憶する通話時間記憶手段を備え、
前記予め設定された時間は、この通話時間記憶手段により記憶された時間であることを特徴とする［１］ないし［４］の何れかに記載の通信装置。
【００９４】
［６］
前記通話時間記憶手段により記憶される短時間通話の時間は、前記短時間通話の要求を発信する側の通信装置のユーザ操作に応じて任意に設定されることを特徴とする［５］に記載の通信装置。
【００９５】
［７］
前記短時間通話制御手段による前記他の通信装置との通話の制御中に、ユーザ操作に応じて前記通話時間記憶手段により記憶される短時間通話の時間を延長する時間延長手段を備えたことを特徴とする［５］または［６］に記載の通信装置。
【００９６】
［８］
前記短時間通話の残り時間が所定の残り時間になった場合、報知する報知手段を更に備えたことを特徴とする［１］ないし［７］の何れかに記載の通信装置。
【００９７】
［９］
通話機能を備えた通信装置のコンピュータを制御するためのプログラムであって、
前記コンピュータを、
他の通信装置を指定して発信する発信手段、
この発信手段による発信に応答して前記他の通信装置で選択された短時間通話の要求を受信する受信手段、
前記受信手段により短時間通話の要求が受信された場合は、予め設定された時間内で前記他の通信装置との通話を制御する短時間通話制御手段、
として機能させるためのプログラム。
【００９８】
［１０］
通話機能を備えた通信装置のコンピュータを制御するためのプログラムであって、
他の通信装置の発信手段により発信された通話の要求を受信する受信手段、
この受信手段により通話の要求が受信された場合に、ユーザ操作に応じて、通常通話を受ける応答または短時間通話の要求を選択して前記他の通信装置へ返信する通話選択返信手段、
前記通話選択返信手段により短時間通話の要求を選択して前記他の通信装置へ返信した場合に、予め設定された時間内で前記他の通信装置との通話を制御する短時間通話制御手段、
として機能させるためのプログラム。
【００９９】
［１１］
通話機能を備えた通信装置のコンピュータを制御するためのプログラムであって、
ユーザ操作に応じて他の通信装置を指定する通信先指定手段、
前記通信先指定手段により指定された他の通信装置へ発信する発信手段、
他の通信装置の発信手段により発信された通話の要求を受信する受信手段、
この受信手段により通話の要求が受信された場合に、ユーザ操作に応じて、通常通話を受ける応答または短時間通話の要求を選択して前記他の通信装置へ返信する通話選択返信手段、
前記受信手段により短時間通話の要求が受信された場合と、前記他の通信装置の通話選択返信手段により返信された短時間通話の要求が受信された場合に、予め設定された時間内で前記他の通信装置との通話を制御する短時間通話制御手段、
として機能させるためのプログラム。
【符号の説明】
【０１００】
１０Ａ，１０Ｂ…タッチパネル式携帯端末（携帯電話）
１１  …ＣＰＵ
１２  …記憶装置
１２ａ…端末制御プログラム
１２ｂ…通常通話処理プログラム
１２ｃ…短時間通話処理プログラム
１３  …外部記憶媒体
１４  …記憶媒体読み込み部
１５  …通信制御部
１６  …ＲＡＭ
１６ａ…表示データメモリ
１６ｂ…通話モードデータメモリ
１６ｃ…通話時間設定データメモリ
１６ｄ…通話時間カウントデータメモリ
１６ｅ…延長時間設定データメモリ
１７  …キー入力部
１８  …タッチパネル付き表示部
１９  …音声入出力部
２０  …Ｗｅｂサーバ（プログラムサーバ）
Ｕａ  …ユーザＡ
Ｕｂ  …ユーザＢ
Ｎｃ  …［通常通話］ボタン
Ｓｃ  …［短時間通話］ボタン
ＲＳ  …［着信中：短時間通話］ボタン
ＲＳａ…［短時間通話要求受入れ］ボタン
ＲＳｂ…［短時間通話受け］ボタン
ＲＮ  …［着信中：通常通話］ボタン
Ｔ    …短時間通話残り時間
Ｔｅ  …［通話延長］ボタン
Ｅｓ，Ｅｃ…［通話終了］ボタン
Ｅｍ  …通話終了メッセージ
【図１】
2014027451.tif 000003
【図２】
2014027451.tif 000004
【図３】
2014027451.tif 000005
【図４】
2014027451.tif 000006
【図５】
2014027451.tif 000007
【図６】
2014027451.tif 000008
【図７】
2014027451.tif 000009
【図８】
2014027451.tif 000010
【図９】
2014027451.tif 000011